(57)【要約】【課題】  ブラジャーなどの下着内側に設けた収容部（ポケット）に挿入してバストの垂れ下がりを抑制し、肌当たりが良好なパッドの提供。【解決手段】  パッド１は概略皿形をなしてソフトなウレタンを材質とし、内面４には外周縁に沿って凸条２を設けている。【選択図】    図１
2020169423.tif 000002
【特許請求の範囲】
【請求項１】
ブラジャーなどの下着内側に設けた収容部（ポケット）に挿入してバストの垂れ下がりを抑制し、肌当たりが良好なパッドにおいて、該パッドは概略皿形をなしてソフトなウレタン、又は不織布などでクッション性に優れた材質とし、内面の下側には外周縁に沿って凸条を設けたことを特徴とするパッド。
【請求項２】
上記材質をソフトなウレタンに代わってポリウレタン（ＰＵ）素材とした請求項１記載のパッド。
【請求項３】
微細な無数の穴を形成した請求項１、又は請求項２記載のパッド。
【請求項４】
中心部（皿の頂部）には乳頭が擦れないように形状記憶ポリウレタン（ＰＵ）又は低反発ウレタンを重ね合わせた構造にした請求項１、請求項２、又は請求項３記載のパッド。
【請求項５】
左右の両パッドを連結部を介して繋いでブラジャーカップとして、ブラジャーのフロント部に設けた収容部に収容可能とした請求項１、請求項２、請求項３、又は請求項４記載のパッド。
【請求項６】
ブラジャーのフロント部の芯材となるカップ芯材において、該カップ芯材はソフトなウレタン、ポリウレタン（ＰＵ）、又は不織布などでクッション性に優れた材質とし、下側外周縁に沿って凸条を設けたことを特徴とするブラジャーのカップ芯材。
【請求項７】
無数の微細な穴を設けた請求項６記載のブラジャーのカップ芯材。
【請求項８】
中心部（カップの頂部）には乳頭が擦れないように形状記憶ＰＵ又は低反発ウレタンを内蔵した請求項６、又は請求項７記載のブラジャーのカップ芯材。
【発明の詳細な説明】
【技術分野】
【０００１】
本発明は女性用下着であるブラジャーなどの下着に設けているカップの収容部（ポケット）に挿入されるパッド及びブラジャー用のカップ芯材に関するものである。
【背景技術】
【０００２】
ブラジャーは女性が着用する代表的な下着であり、両カップ部を有してバストを包み込んで支えることが出来る。また、バストを支えるのみならず、その形を整える役目を果たすことが出来る。
そこで、ブラジャーのカップ内側に収容部を設け、この収容部にパッドを挿入することでバストをより大きく見せ、しかも形の良いバストに見せることが出来る。
【０００３】
従来のブラジャーにおいては、カップ部を構成する表布と裏布との間に形成した収容部にパッドを着脱自在に挿入することが出来るタイプのものが知られている。この種のブラジャーでは、使用者の好みに合ったパッドを使うことができるので、便利であるといった利点がある。
しかし、カップ部の収容部内でパッドが動き、所定の位置からズレてしまうといった問題がある。
【０００４】
特開２００３−１１３５０３号に係る「ブラジャー」は、カップ部を構成する表布と裏布との間にパッドを着脱自在に挿入するブラジャーであって、当該パッドがカップ部内で移動しないように成っている。
そこで、左右の各カップ部１を構成する表布２と裏布３との間に、パッド１０を着脱自在に挿入するもので、前記表布２と裏布３の下端縁同士を、前記パッド１０が落下しないように連続的または部分的に縫合して連結縫合部４とし、前記表布２と裏布３の前記下端縁以外の部分を、前記パッド１０を挿入できる開口部５を設けつつ、局所的に縫合して局所縫合部６を形成し、前記パッド１０の周端部に、前記局所縫合部６が入り込んで係合する切込み部１１を形成している。
【０００５】
特開２００２−３０９４０５号に係る「ブラジャー」は、胸の回りに殆ど縫合線が入っておらず、着用感に優れたブラジャーである。
そこで、前身頃と後ろ身頃とが一続きの環状生地によって形成された表地１０と、この表地１０の前身頃部分に裏側から縫合される裏地１１とを有し、上記裏地１１が、表地１０の前身頃部分に重なる部分Ａと、上記部分Ａの片側縁から延設され内側に折り返されて部分Ａの片方の胸部裏側と重なる部分Ｂと、上記部分Ａの他側縁から延設され内側に折り返されて部分Ａの他方の胸部裏側と重なる部分Ｃとを備え、上記部分Ｂ，部分Ｃの折り返し端が、胸部裏側中央で部分Ａと一体的に縫合されて、裏地１１によって胸部の左右に袋部が形成され、その左右の袋部にバストパッド２０が着脱自在に挿入されるようになっている。
【０００６】
このように、ブラジャーの内側に収容部（ポケット）を設け、該収容部にパッドを挿入することは従来から知られている。しかし、従来のパッドは着用時の肌当たりが悪く、また位置ズレもし易く、バストの外観を良く見せることは出来ない。
【特許文献１】特開２００３−１１３５０３号に係る「ブラジャー」
【特許文献２】特開２００２−３０９４０５号に係る「ブラジャー」
【発明の開示】
【発明が解決しようとする課題】
【０００７】
このようにブラジャーに設けた収容部に挿入されるパッドは色々知られているが、位置ズレしないで定位置に安定するパッドは存在しない。本発明が解決しようとする課題はこの問題点であり、カップの収容部に挿入した場合に位置ズレしにくいパッド、及びブラジャーのカップを構成する芯材を提供する。
【課題を解決するための手段】
【０００８】
本発明に係るパッドはその形状を概略皿形とし、ソフトなウレタンや不織布などのクッション性に優れた材質で構成され、そして中央部（皿形パッドの頂点部）には形状記憶ポリウレタン（形状記憶ＰＵ）又は低反発ウレタンが内蔵されている。すなわち、ポリウレタンに形状記憶ポリウレタンが重なり合った構造としている。
また、パッド外周部の下側内面には外周縁に沿って凸条が形成されている。ここで、該凸条はパッドと同一材質にて構成されるが、時には不織布から成るエルクワイヤーを内蔵して形成することもある。
【０００９】
上記エルクワイヤーとは、ポリエステルの短繊維であり、このポリエステル短繊維を立体的に交錯し、交錯点の少なくとも一部は固着されていて、従来の不織布や硬綿に比べて繊維の結合が強くてしなやかな構造と成っている。外から作用する外力に対して、如何なる方向からの圧力にも柔軟に対応し、引張っても圧縮してもフレキシブルな弾力性を呈することが出来る機能を備えている。
【００１０】
そして、本発明ではブラジャー自体にも適用され、上記パッドと同じ材質及び同じ形態としたブラジャーのカップ芯材を構成することも可能である。すなわち、カップ芯材を収容してカップを構成することでブラジャーのフロント部と成り、該フロント部にはバックバンド及び肩紐を備えている。上記カップ芯材は、夫々が互いに独立した形態とする場合、又は連結部を介して両カップ芯材を繋いだ形態とすることもある。
一方、ブラジャーのカップ芯材ではなく、前記パッドと同じようにブラジャーの内側に設けた収容部に挿入する場合もある。すなわち、対を成す２つのパッドをブラジャーに設けた収容部に挿入することが出来る。
【発明の効果】
【００１１】
本発明のパッドはブラジャー及びそれを要するアイテムの胸元に設けた収容部（パッドポケット）に挿入することが出来る。そして、収容部に挿入されたパッドは位置ズレしにくく定位置に安定する。
また、本発明のパッド及びブラジャーのカップ芯材は、ソフトなウレタンなどのクッション性に優れた材質としていることで、着用した際の肌当たりが良く、自然なフィット感と肌さわりを持続することが出来る。
【００１２】
そして、パッドの中央部には形状記憶ＰＵ又は低反発ウレタンを内蔵することで、乳頭の肌当たりは一段と良好になり、身体を動かす際に揺れる乳頭が擦れないように保護することが出来る。
該パッドを収容したブラジャーやブラトップインナーなどを着用した場合、乳頭付近が四方に伸びることで体に沿い、動きによる胸の肺活大小にも対応でき、安定感が備わる。
【００１３】
また、胸の大きさの違いをカバーすることが出来、左右の胸の大きさが不対称な場合や生理などで胸の大きさが変わった場合であっても、本発明のパッドにて対応することが可能と成る。
一方、パッド外周部の下側内面の外側縁に沿ってエルクワイヤーなどで形成される凸条が設けられることで、該凸条によってバストが支えられ、その為にバストの下垂が抑制されてバストの形状は良好となり、その位置は安定する。また、収容部（ポケット）に収容したパッドの位置ズレも抑制されて安定する。
上記エルクワイヤーは従来の金属製ワイヤーではなく、その為に着用した際に胸元に痛みを感じることはない。
【図面の簡単な説明】
【００１４】
【図１】本発明のパットを示す実施例で、（ａ）は正面図、（ｂ）は背面図、（ｃ）は（ａ）のＡ−Ａ断面図を表している。
【図２】本発明のパッドをバストに装着した場合の断面図を表している。
【図３】本発明のパットを示す他の実施例で、（ａ）は正面図、（ｂ）は背面図を表している。
【図４】ブラジャーのフロント部を構成する本発明に係るパッドの芯材を示す実施例を表している。
【発明を実施するための形態】
【００１５】
図１は本発明に係るパッドを示す実施例であり、（ａ）は正面図、（ｂ）は背面図、（ｃ）は（ａ）のＡ−Ａ断面図をそれぞれ表している。該パッド１は概略楕円形をした皿形をなし、その厚さは、外周部が薄くて中央部が厚く成っている。
そして、材質はソフトな肌触りのポリウレタン素材（ＰＵ素材）が使用され、無数の微細な穴が開いていることで通気性が良好で、蒸れることはない。
また、材質はソフトなポリウレタンに限らず、不織布などでクッション性に優れた材質を用いることも出来る。
同図に示す形状は概略楕円形と成っているが、その具体的な形状は限定せず、例えば概略円形とする場合もある。
【００１６】
また、下側外周部の内面４には外周縁５に沿って凸条２が設けられている。該凸条２はその断面を図１（ｃ）に示しているように、表面３は滑らかな概略半円形として内面４と連続している。
そして、上記凸条２は通常の金属製ワイヤーを埋着したのではなく、例えば不織布で作ったエルクワイヤーが用いられ、その為に肌当たりにも優しい。勿論、凸条２の高さ及び幅寸法も金属製ワイヤーに比較して大きいことで、バストと広い面積にて優しく接触することが出来、肌に食い込んで痛みを感じることはない。
【００１７】
上記エルクワイヤーとは、ポリエステル短繊維を立体的に交錯し、交錯点の少なくとも一部は固着されていて、従来の不織布や硬綿に比べて繊維の結合が強くてしなやかと成っている。そして、外から作用する外力に対して、如何なる方向からの圧力にも柔軟に対応し、引張っても圧縮してもフレキシブルな弾力性を呈することが出来る。勿論、上記凸条２をパッド本体と同じ材質で構成することも可能である。
【００１８】
図２（ａ）〜（ｃ）はブラジャー６の内側に設けた収容部（パッド袋）に該パッド１を収容し、該ブラジャー６を着用した場合を示している。
同図はパッド１が正面に露出した外観として図示しているが、実際にはブラジャー６のカップ７の収容部に収まっている為に、表面化していない。
このように着用したパッド１はバストが垂れ下がることを抑制する為に、上記凸条２はバストの下側に位置している。ブラジャー６のカップ７の脇にはポケット口８が設けられ、該ポット口８から丸めて小さくなったパッド１が挿入され、収容部に収容される。
【００１９】
図３は本発明に係るパッド９を示す他の実施例であり、（ａ）は正面図、（ｂ）は背面図を表している。前記図１に示したパッド１と同じように、その形状は概略楕円形をした皿形をなし、その厚さは、外周部が薄くて中央部が厚く成っている。そして、材質はソフトなウレタンが用いられていて、その為に着用時の肌当たりは良好である。したがって、基本的な外観形状は前期図１に示したパッド１と共通している。
【００２０】
そして、前記図１に示したパッド１の場合と同じように、下側外周部の内面１０には外周縁１１に沿って凸条１２が設けられている。該凸条１２は表面が滑らかな概略半円形として内面１０と連続している。
該凸条１２はパット本体と同じくソフトなウレタンが用いられていて、肌当たりにも優しい。勿論、凸条１２の高さ及び幅寸法は前記パッド１の凸条２と同じようにバストと広い面積にて優しく接触することが出来る。
したがって、該パッド９をブラジャーのカップに設けた収容部に挿入して着用するならば、該凸条１２によってバストの下側が支えられるようになって、垂れが抑制される。
【００２１】
一方、該パッド９はソフトなウレタンを材質として成形したものであるが、その中央部１３（皿の頂点部）は特殊なウレタンである形状記憶ポリウレタン（ＰＵ）又は低反発ウレタンが内蔵され（ソフトウレタンに重なり合った構造）、バスト乳頭の接触はより肌感覚と成る。特に身体を動かす際に揺れ動くバストの乳頭が擦れないように保護される。
これらパッド１，９はソフトなウレタンやソフトな肌当たりのＰＵ素材が用いられるが、表面には薄い表面生地が貼り合わせている。
【００２２】
ところで、これらパッド１，９はブラジャーやその他の下着に設けた収容部（ポケット）に挿入して使うことが出来る。収容部に挿入されたパッド１，９はソフトなウレタン素材から構成していることで位置ズレしにくく、また、バストの垂れ下がりを抑制することが出来る。
しかも、極めて柔らかい素材を用いて作られていることで、軽くて肌当たりが良く、着用感は殆ど感じられない。
【００２３】
前記実施例で説明したパッド１，９はブラジャーなどの下着に設けたカップ収容部に挿入して使うことが出来る。すなわち、両カップの収容部にそれぞれのパッドが挿入されるが、両パッドを連結部にて繋いだ状態でブラジャーのフロント部に設けた収容部に収容して配置することも可能である。
一方、ブラジャーの芯材としてパッドを用いて組み込んでフロント部を構成することが出来る。
図４はブラジャーのフロント部を構成するカップ芯材を示す実施例である。両カップ芯材１４ａ，１４ｂは、連結部１５によって左右対称に繋がれている。
【００２４】
カップ芯材１４ａ，１４ｂの形状は前記パッド１，９とは異なるが、その構成は共通している。材質はパッド１，９と同じくＰＵ素材、又はソフトウレタンが用いられえている。そして、カップ芯材１４ａ，１４ｂの内面には、連結部１５との境界１６ａ，１６ｂに並行して凸条が設けられている。
また、カップ芯材１４ａ，１４ｂの中央部には前記図３に示したパッド９と同じく、形状記憶ＰＵ又は低反発ウレタンが内蔵されて、身体を動かした際に乳頭が擦れないように成っている。
【００２５】
ところで、このカップ芯材１４ａ，１４ｂ、及び連結部１５はブラジャーのフロント部を構成している。すなわち、該芯材を表生地と裏生地とで挟み込んでフロント部と成る。  そして、該フロント部の両側からバックパネルが延びて背中で先端が連結することが出来、また、フロント部の上端（カップ上端）から肩紐が延びてその先端は上記バックパネルに繋がっている。
【符号の説明】
【００２６】
１   パッド
２   凸条
３   表面
４   内面
５   外周縁
６   ブラジャー
７   カップ
８   ポケット口
９   パッド
10   内面
11   外周縁
12   凸条
13   中央部
14   カップ芯材
15   連結部
16   境界
【図１】
2020169423.tif 000003
【図２】
2020169423.tif 000004
【図３】
2020169423.tif 000005
【図４】
2020169423.tif 000006